(57)【要約】【課題】本発明は青少年用電気スタンドを開示した。【解決手段】スタンドを含み、前記スタンドが円柱形に設計され、更に前記スタンドの底部半径が頂部半径より短く、前記スタンドの中の頂端には第一凹溝が設けられ、前記第一凹溝の底部の前記スタンドの中には底チャンバが設けられ、前記底チャンバと前記第一凹溝との間には矩形スライドブロックがスライドできるように設けられ、前記矩形スライドブロックの外周には四組の支持ロッドが固定的に設けられ、前記底チャンバの中には前記かさを上げる又は下げることができる昇降機構が設けられ、前記矩形スライドブロックの中には伝動チャンバが設けられ、前記伝動チャンバの中には電気スタンドの照明範囲を調節する調節機構が設けられている。【選択図】図１
2020177882.tif 000002
【特許請求の範囲】
【請求項１】
スタンドを含み、前記スタンドが円柱形に設計され、更に前記スタンドの底部半径が頂部半径より短く、前記スタンドの中の頂端には第一凹溝が設けられ、前記第一凹溝の底部の前記スタンドの中には底チャンバが設けられ、前記底チャンバと前記第一凹溝との間には矩形スライドブロックがスライドできるように設けられ、前記矩形スライドブロックの外周には四組の支持ロッドが固定的に設けられ、前記スタンドの頂端にはかさが設けられ、前記かさの中には第二凹溝が設けられ、前記第二凹溝と前記第一凹溝と相対するように設けられ、前記支持ロッドの一端と前記第二凹溝の内壁とが固定的に連結され、前記底チャンバの中には前記かさを上げる又は下げることができる昇降機構が設けられ、前記矩形スライドブロックの中には伝動チャンバが設けられ、前記伝動チャンバの中には電気スタンドの照明範囲を調節する調節機構が設けられていることを特徴とする青少年用電気スタンド。
【請求項２】
前記昇降機構は前記スタンドの左側端面の中に設けられた円溝を含み、前記底チャンバと前記円溝との間には横軸が回転できるように設けられ、前記横軸の右側のうち伸びている部分が前記底チャンバの中に伸びており、且つ前記横軸の右側末端には第一傘歯車が固定的に設けられ、前記横軸の左側のうち伸びている部分が前記円溝の中に伸びており、且つ前記横軸の左側端面には回転輪が固定的に設けられ、前記底チャンバの底壁には上に伸びて設けられた大型ねじロッドが回転できるように設けられ、前記大型ねじロッドの頂部の伸びている部分が前記矩形スライドブロックの中に入り、且つ前記大型ねじロッドと前記矩形スライドブロックとがねじ山によって連結され、前記大型ねじロッドの外周には前記第一傘歯車と噛合し設けられた第二傘歯車が固定的に設けられ、手動で前記回転輪を回転させ、前記回転輪に前記横軸を回転連動させ、これにより前記第一傘歯車を回転させ、前記第一傘歯車が前記第二傘歯車を回転連動させ、これにより前記大型ねじロッドを回転させ、前記大型ねじロッドが回転することにより、前記矩形スライドブロックが上に運動でき、これにより前記かさを上に運動させ、前記かさの底部と前記スタンドの頂部とを離脱させることを特徴とする請求項１に記載の青少年用電気スタンド。
【請求項３】
前記調節機構は前記矩形スライドブロックの前後左右両側端面に固定的に設けられた支持板を含み、前記支持板は四組設けられ、前記支持板にはいずれも第三傘歯車が回転できるように設けられ、前記支持板にはいずれも半円歯車が回転できるように設けられ、前記半円歯車と前記第三傘歯車とが噛合し設けられ、前記半円歯車の片側には支持ブロックが固定的に設けられ、前記支持ブロックの中にはライトが設けられ、前記伝動チャンバの前後左右端壁の中にはいずれも小型回転軸が回転できるように設けられ、前記小型回転軸は四組設けられ、前記小型回転軸の一端には第四傘歯車が固定的に設けられ、前記第四傘歯車と前記第三傘歯車とが噛合し設けられ、前記小型回転軸のもう一端には第五傘歯車が固定的に設けられ、前記伝動チャンバの中には上に伸びて設けられた長ねじロッドが回転できるように設けられ、前記長ねじロッドの外周には前記伝動チャンバの中に位置している第六傘歯車が固定的に設けられ、前記第六傘歯車と四組の前記第五傘歯車とがいずれも噛合し設けられ、前記長ねじロッドの頂端が前記かさを貫通しており、前記かさの頂端には回転ブロックが回転できるように設けられ、前記回転ブロックの頂端にはねじりブロックが固定的に設けられ、前記回転ブロックの底端と前記長ねじロッドとが固定的に連結され、前記第二凹溝の頂壁には円柱ブロックが固定的に設けられ、前記第二凹溝の頂壁には第一反射鏡も固定的に設けられ、前記第一反射鏡が前記円柱ブロックの周囲に位置しており、前記円柱ブロックの中にはスライドチャンバが設けられ、前記スライドチャンバの中には立方体がスライドできるように設けられ、前記立方体と前記長ねじロッドとがねじ山によって連結され、前記立方体の底端には四組の連結ロッドがヒンジによって設けられ、前記第二凹溝の中には四組の第二反射鏡がヒンジによって設けられ、前記第二反射鏡が円盤の形に形成し、前記第二反射鏡の頂端と前記連結ロッドの底端とがヒンジによって連結され、
手動で前記ねじりブロックをねじり、前記回転ブロックを回転させ、これにより前記長ねじロッドを回転させ、これにより前記立方体が上に又は下にスライドでき、これにより前記第二反射鏡が一定の角度に回転でき、これにより前記ライトが前記第二反射鏡に照らす光を調節でき、前記第二反射鏡の反射角度を変更し、これにより照明範囲を変えることができ、同時に前記長ねじロッドの回転により前記第六傘歯車を回転させ、これにより前記第五傘歯車を回転させ、これにより前記小型回転軸に前記第四傘歯車を回転連動させ、これにより前記第三傘歯車を回転させ、これにより前記支持ブロックに一定の角度を調節させ、これにより光の照射範囲を変えることを特徴とする請求項１に記載の青少年用電気スタンド。
【請求項４】
前記スタンドの右側端面内には保存ケースがスライドできるように設けられ、前記保存ケースの中には保存チャンバが設けられ、前記保存チャンバが雑物を保存でき、前記保存ケースの右側端面には内側に凹んだ凹板が固定的に設けられ、前記凹板によって前記保存ケースを前記スタンドの外に引き出すことができ、これにより前記保存チャンバの中の雑物を出し入れすることができることを特徴とする請求項１に記載の青少年用電気スタンド。
【発明の詳細な説明】
【技術分野】
【０００１】
本発明は電気スタンド技術分野を取り上げて、具体的には青少年用電気スタンドである。
【背景技術】
【０００２】
今市販のほとんどの電気スタンドは単一の照明機能を持ち、収納できなく、更にぶつかって壊れやすく、更にデスクトップに照らす光を調節できなく、光が照らす範囲を調節しようとしたら、手動でかさの角度を変えるしかないため、光が直接に目に当て、従って、青少年用電気スタンドを設計する必要がある。
【先行技術文献】
【特許文献】
【０００３】
【特許文献１】中国特許出願公開第１０６４３９５８９号明細書
【発明の概要】
【発明が解決しようとする課題】
【０００４】
本発明の目的は青少年用電気スタンドを提供し、それは上記の現在の技術中の問題を解決できる。
【課題を解決するための手段】
【０００５】
本発明の青少年用電気スタンドは、スタンドを含み、前記スタンドが円柱形に設計され、更に前記スタンドの底部半径が頂部半径より短く、前記スタンドの中の頂端には第一凹溝が設けられ、前記第一凹溝の底部の前記スタンドの中には底チャンバが設けられ、前記底チャンバと前記第一凹溝との間には矩形スライドブロックがスライドできるように設けられ、前記矩形スライドブロックの外周には四組の支持ロッドが固定的に設けられ、前記スタンドの頂端にはかさが設けられ、前記かさの中には第二凹溝が設けられ、前記第二凹溝と前記第一凹溝と相対するように設けられ、前記支持ロッドの一端と前記第二凹溝の内壁とが固定的に連結され、前記底チャンバの中には前記かさを上げる又は下げることができる昇降機構が設けられ、前記矩形スライドブロックの中には伝動チャンバが設けられ、前記伝動チャンバの中には電気スタンドの照明範囲を調節する調節機構が設けられている。
【０００６】
前記昇降機構は前記スタンドの左側端面の中に設けられた円溝を含み、前記底チャンバと前記円溝との間には横軸が回転できるように設けられ、前記横軸の右側のうち伸びている部分が前記底チャンバの中に伸びており、且つ前記横軸の右側末端には第一傘歯車が固定的に設けられ、前記横軸の左側のうち伸びている部分が前記円溝の中に伸びており、且つ前記横軸の左側端面には回転輪が固定的に設けられ、前記底チャンバの底壁には上に伸びて設けられた大型ねじロッドが回転できるように設けられ、前記大型ねじロッドの頂部の伸びている部分が前記矩形スライドブロックの中に入り、且つ前記大型ねじロッドと前記矩形スライドブロックとがねじ山によって連結され、前記大型ねじロッドの外周には前記第一傘歯車と噛合し設けられた第二傘歯車が固定的に設けられ、手動で前記回転輪を回転させ、前記回転輪に前記横軸を回転連動させ、これにより前記第一傘歯車を回転させ、前記第一傘歯車が前記第二傘歯車を回転連動させ、これにより前記大型ねじロッドを回転させ、前記大型ねじロッドが回転することにより、前記矩形スライドブロックが上に運動でき、これにより前記かさを上に運動させ、前記かさの底部と前記スタンドの頂部とを離脱させる。
【０００７】
前記調節機構は前記矩形スライドブロックの前後左右両側端面に固定的に設けられた支持板を含み、前記支持板は四組設けられ、前記支持板にはいずれも第三傘歯車が回転できるように設けられ、前記支持板にはいずれも半円歯車が回転できるように設けられ、前記半円歯車と前記第三傘歯車とが噛合し設けられ、前記半円歯車の片側には支持ブロックが固定的に設けられ、前記支持ブロックの中にはライトが設けられ、前記伝動チャンバの前後左右端壁の中にはいずれも小型回転軸が回転できるように設けられ、前記小型回転軸は四組設けられ、前記小型回転軸の一端には第四傘歯車が固定的に設けられ、前記第四傘歯車と前記第三傘歯車とが噛合し設けられ、前記小型回転軸のもう一端には第五傘歯車が固定的に設けられ、前記伝動チャンバの中には上に伸びて設けられた長ねじロッドが回転できるように設けられ、前記長ねじロッドの外周には前記伝動チャンバの中に位置している第六傘歯車が固定的に設けられ、前記第六傘歯車と四組の前記第五傘歯車とがいずれも噛合し設けられ、前記長ねじロッドの頂端が前記かさを貫通しており、前記かさの頂端には回転ブロックが回転できるように設けられ、前記回転ブロックの頂端にはねじりブロックが固定的に設けられ、前記回転ブロックの底端と前記長ねじロッドとが固定的に連結され、前記第二凹溝の頂壁には円柱ブロックが固定的に設けられ、前記第二凹溝の頂壁には第一反射鏡も固定的に設けられ、前記第一反射鏡が前記円柱ブロックの周囲に位置しており、前記円柱ブロックの中にはスライドチャンバが設けられ、前記スライドチャンバの中には立方体がスライドできるように設けられ、前記立方体と前記長ねじロッドとがねじ山によって連結され、前記立方体の底端には四組の連結ロッドがヒンジによって設けられ、前記第二凹溝の中には四組の第二反射鏡がヒンジによって設けられ、前記第二反射鏡が円盤の形に形成し、前記第二反射鏡の頂端と前記連結ロッドの底端とがヒンジによって連結される。
【０００８】
手動で前記ねじりブロックをねじり、前記回転ブロックを回転させ、これにより前記長ねじロッドを回転させ、これにより前記立方体が上に又は下にスライドでき、これにより前記第二反射鏡が一定の角度に回転でき、これにより前記ライトが前記第二反射鏡に照らす光を調節でき、前記第二反射鏡の反射角度を変更し、これにより照明範囲を変えることができ、同時に前記長ねじロッドの回転により前記第六傘歯車を回転させ、これにより前記第五傘歯車を回転させ、これにより前記小型回転軸に前記第四傘歯車を回転連動させ、これにより前記第三傘歯車を回転させ、これにより前記支持ブロックに一定の角度を調節させ、これにより光の照射範囲を変える。
【０００９】
前記スタンドの右側端面内には保存ケースがスライドできるように設けられ、前記保存ケースの中には保存チャンバが設けられ、前記保存チャンバが雑物を保存でき、前記保存ケースの右側端面には内側に凹んだ凹板が固定的に設けられ、前記凹板によって前記保存ケースを前記スタンドの外に引き出すことができ、これにより前記保存チャンバの中の雑物を出し入れすることができる。
【発明の効果】
【００１０】
本発明の電気スタンドは収納されることができて壊れることを防止し、同時に空間を節約し、設計が更に精巧になり、使われない時に収納されて飾り物になることができ、美観性を増え、更に本発明の電気スタンドは照明範囲も調節でき、使用者が自分の好みで照明範囲を調節できる。
【図面の簡単な説明】
【００１１】
説明しやすいため、本発明は以下の具体的な実施例と付図を交え詳しく説明する。
【００１２】
【図１】図１は本発明の青少年用電気スタンドの内部全体構成略図
【図２】図２は本発明の第二反射鏡の構成略図
【図３】図３は図１のＡの部分拡大構成略図
【図４】図４は図１のＢの部分拡大構成略図
【発明を実施するための形態】
【００１３】
以下、図１−４を合わせて本発明について詳しく説明し、また、説明の便利を図るため、下記に記載の上下左右前後方向が図１自身の投影関係の上下左右前後方向と一致することにする。
【００１４】
図１−４を参照し、本発明の青少年用電気スタンドは、スタンド１０を含み、前記スタンド１０が円柱形に設計され、更に前記スタンド１０の底部半径が頂部半径より短く、前記スタンド１０の中の頂端には第一凹溝２１が設けられ、前記第一凹溝２１の底部の前記スタンド１０の中には底チャンバ１６が設けられ、前記底チャンバ１６と前記第一凹溝２１との間には矩形スライドブロック２７がスライドできるように設けられ、前記矩形スライドブロック２７の外周には四組の支持ロッド２２が固定的に設けられ、前記スタンド１０の頂端にはかさ２３が設けられ、前記かさ２３の中には第二凹溝２５が設けられ、前記第二凹溝２５と前記第一凹溝２１と相対するように設けられ、前記支持ロッド２２の一端と前記第二凹溝２５の内壁とが固定的に連結され、前記底チャンバ１６の中には前記かさ２３を上げる又は下げることができる昇降機構７２が設けられ、前記矩形スライドブロック２７の中には伝動チャンバ３７が設けられ、前記伝動チャンバ３７の中には電気スタンドの照明範囲を調節する調節機構７１が設けられている。
【００１５】
前記昇降機構７２は前記スタンド１０の左側端面の中に設けられた円溝１１を含み、前記底チャンバ１６と前記円溝１１との間には横軸１３が回転できるように設けられ、前記横軸１３の右側のうち伸びている部分が前記底チャンバ１６の中に伸びており、且つ前記横軸１３の右側末端には第一傘歯車１４が固定的に設けられ、前記横軸１３の左側のうち伸びている部分が前記円溝１１の中に伸びており、且つ前記横軸１３の左側端面には回転輪１２が固定的に設けられ、前記底チャンバ１６の底壁には上に伸びて設けられた大型ねじロッド２８が回転できるように設けられ、前記大型ねじロッド２８の頂部の伸びている部分が前記矩形スライドブロック２７の中に入り、且つ前記大型ねじロッド２８と前記矩形スライドブロック２７とがねじ山によって連結され、前記大型ねじロッド２８の外周には前記第一傘歯車１４と噛合し設けられた第二傘歯車１５が固定的に設けられ、手動で前記回転輪１２を回転させ、前記回転輪１２に前記横軸１３を回転連動させ、これにより前記第一傘歯車１４を回転させ、前記第一傘歯車１４が前記第二傘歯車１５を回転連動させ、これにより前記大型ねじロッド２８を回転させ、前記大型ねじロッド２８が回転することにより、前記矩形スライドブロック２７が上に運動でき、これにより前記かさ２３を上に運動させ、前記かさ２３の底部と前記スタンド１０の頂部とを離脱させる。
【００１６】
前記調節機構７１は前記矩形スライドブロック２７の前後左右両側端面に固定的に設けられた支持板３８を含み、前記支持板３８は四組設けられ、前記支持板３８にはいずれも第三傘歯車３９が回転できるように設けられ、前記支持板３８にはいずれも半円歯車４０が回転できるように設けられ、前記半円歯車４０と前記第三傘歯車３９とが噛合し設けられ、前記半円歯車４０の片側には支持ブロック４１が固定的に設けられ、前記支持ブロック４１の中にはライト４２が設けられ、前記伝動チャンバ３７の前後左右端壁の中にはいずれも小型回転軸４４が回転できるように設けられ、前記小型回転軸４４は四組設けられ、前記小型回転軸４４の一端には第四傘歯車４３が固定的に設けられ、前記第四傘歯車４３と前記第三傘歯車３９とが噛合し設けられ、前記小型回転軸４４のもう一端には第五傘歯車４５が固定的に設けられ、前記伝動チャンバ３７の中には上に伸びて設けられた長ねじロッド３５が回転できるように設けられ、前記長ねじロッド３５の外周には前記伝動チャンバ３７の中に位置している第六傘歯車３６が固定的に設けられ、前記第六傘歯車３６と四組の前記第五傘歯車４５とがいずれも噛合し設けられ、前記長ねじロッド３５の頂端が前記かさ２３を貫通しており、前記かさ２３の頂端には回転ブロック３１が回転できるように設けられ、前記回転ブロック３１の頂端にはねじりブロック３０が固定的に設けられ、前記回転ブロック３１の底端と前記長ねじロッド３５とが固定的に連結され、前記第二凹溝２５の頂壁には円柱ブロック３２が固定的に設けられ、前記第二凹溝２５の頂壁には第一反射鏡２４も固定的に設けられ、前記第一反射鏡２４が前記円柱ブロック３２の周囲に位置しており、前記円柱ブロック３２の中にはスライドチャンバ５１が設けられ、前記スライドチャンバ５１の中には立方体３３がスライドできるように設けられ、前記立方体３３と前記長ねじロッド３５とがねじ山によって連結され、前記立方体３３の底端には四組の連結ロッド３４がヒンジによって設けられ、前記第二凹溝２５の中には四組の第二反射鏡２９がヒンジによって設けられ、前記第二反射鏡２９が円盤の形に形成し、前記第二反射鏡２９の頂端と前記連結ロッド３４の底端とがヒンジによって連結されている。
【００１７】
手動で前記ねじりブロック３０をねじり、前記回転ブロック３１を回転させ、これにより前記長ねじロッド３５を回転させ、これにより前記立方体３３が上に又は下にスライドでき、これにより前記第二反射鏡２９が一定の角度に回転でき、これにより前記ライト４２が前記第二反射鏡２９に照らす光を調節でき、前記第二反射鏡２９の反射角度を変更し、これにより照明範囲を変えることができ、同時に前記長ねじロッド３５の回転により前記第六傘歯車３６を回転させ、これにより前記第五傘歯車４５を回転させ、これにより前記小型回転軸４４に前記第四傘歯車４３を回転連動させ、これにより前記第三傘歯車３９を回転させ、これにより前記支持ブロック４１に一定の角度を調節させ、これにより光の照射範囲を変える。
【００１８】
前記スタンド１０の右側端面内には保存ケース１８がスライドできるように設けられ、前記保存ケース１８の中には保存チャンバ１７が設けられ、前記保存チャンバ１７が雑物を保存でき、前記保存ケース１８の右側端面には内側に凹んだ凹板１９が固定的に設けられ、前記凹板１９によって前記保存ケース１８を前記スタンド１０の外に引き出すことができ、これにより前記保存チャンバ１７の中の雑物を出し入れすることができる。
【００１９】
使用する時、手動で回転輪１２を回転させ、回転輪１２に横軸１３を回転連動させ、これにより第一傘歯車１４を回転させ、第一傘歯車１４が第二傘歯車１５を回転連動させ、これにより大型ねじロッド２８を回転させ、大型ねじロッド２８が回転することにより、矩形スライドブロック２７が上に運動でき、これによりかさ２３を上に運動させ、かさ２３の底部とスタンド１０の頂部とを離脱させ、ライト４２を一定の高さに上昇させ、これにより照明でき、照明範囲を変えようとしたら、手動でねじりブロック３０をねじり、回転ブロック３１を回転させ、これにより長ねじロッド３５を回転させ、これにより立方体３３が上に又は下にスライドでき、これにより第二反射鏡２９が一定の角度に回転でき、これによりライト４２が第二反射鏡２９に照らす光を調節でき、第二反射鏡２９の反射角度を変え、これにより照明範囲を変え、同時に長ねじロッド３５の回転により第六傘歯車３６を回転させ、これにより第五傘歯車４５を回転させ、これにより小型回転軸４４に第四傘歯車４３を回転連動させ、これにより第三傘歯車３９を回転させ、これにより支持ブロック４１に一定の角度を調節させ、これにより光の照射範囲を変える。
【００２０】
本発明の有益効果は：本発明の電気スタンドは収納されることができて壊れることを防止し、同時に空間を節約し、設計が更に精巧になり、使われない時に収納されて飾り物になることができ、美観性を増え、更に本発明の電気スタンドは照明範囲も調節でき、使用者が自分の好みで照明範囲を調節できる。
【００２１】
本分野の技術者が明確できるのは、本発明の総体精神や発想から離脱しない場合で、以上の実施例に各種な変形ができ、それらの変形がすべて本発明の保護範囲にある。本発明の保護方案は本発明の権利要求書を標準とすべきである。
【図１】
2020177882.tif 000003
【図２】
2020177882.tif 000004
【図３】
2020177882.tif 000005
【図４】
2020177882.tif 000006
【手続補正書】
【提出日】令和1年8月28日(2019.8.28)
【手続補正１】
【補正対象書類名】特許請求の範囲
【補正対象項目名】請求項１
【補正方法】変更
【補正の内容】
【請求項１】
スタンドを含み、前記スタンドが円柱形に設計され、更に前記スタンドの底部半径が頂部半径より短く、前記スタンドの中の頂端には第一凹溝が設けられ、前記第一凹溝の底部の前記スタンドの中には底チャンバが設けられ、前記底チャンバと前記第一凹溝との間には矩形スライドブロックがスライドできるように設けられ、前記矩形スライドブロックの外周には四組の支持ロッドが固定的に設けられ、前記スタンドの頂端にはかさが設けられ、前記かさの中には第二凹溝が設けられ、前記第二凹溝と前記第一凹溝とが相対するように設けられ、前記支持ロッドの一端と前記第二凹溝の内壁とが固定的に連結され、前記底チャンバの中には前記かさを上げる又は下げることができる昇降機構が設けられ、前記矩形スライドブロックの中には伝動チャンバが設けられ、前記伝動チャンバの中には電気スタンドの照明範囲を調節する調節機構が設けられていることを特徴とする青少年用電気スタンド。
【手続補正２】
【補正対象書類名】明細書
【補正対象項目名】全文
【補正方法】変更
【補正の内容】
【発明の詳細な説明】
【技術分野】
【０００１】
本発明は電気スタンド技術分野を取り上げて、具体的には青少年用電気スタンドである。
【背景技術】
【０００２】
今市販のほとんどの電気スタンドは単一の照明機能を持ち、収納できなく、更にぶつかって壊れやすく、更にデスクトップに照らす光を調節できなく、光が照らす範囲を調節しようとしたら、手動でかさの角度を変えるしかないため、光が直接に目に当て、従って、青少年用電気スタンドを設計する必要がある。
【先行技術文献】
【特許文献】
【０００３】
【特許文献１】中国特許出願公開第１０６４３９５８９号明細書
【発明の概要】
【発明が解決しようとする課題】
【０００４】
本発明の目的は青少年用電気スタンドを提供し、それは上記の現在の技術中の問題を解決できる。
【課題を解決するための手段】
【０００５】
本発明の青少年用電気スタンドは、スタンドを含み、前記スタンドが円柱形に設計され、更に前記スタンドの底部半径が頂部半径より短く、前記スタンドの中の頂端には第一凹溝が設けられ、前記第一凹溝の底部の前記スタンドの中には底チャンバが設けられ、前記底チャンバと前記第一凹溝との間には矩形スライドブロックがスライドできるように設けられ、前記矩形スライドブロックの外周には四組の支持ロッドが固定的に設けられ、前記スタンドの頂端にはかさが設けられ、前記かさの中には第二凹溝が設けられ、前記第二凹溝と前記第一凹溝とが相対するように設けられ、前記支持ロッドの一端と前記第二凹溝の内壁とが固定的に連結され、前記底チャンバの中には前記かさを上げる又は下げることができる昇降機構が設けられ、前記矩形スライドブロックの中には伝動チャンバが設けられ、前記伝動チャンバの中には電気スタンドの照明範囲を調節する調節機構が設けられている。
【０００６】
前記昇降機構は前記スタンドの左側端面の中に設けられた円溝を含み、前記底チャンバと前記円溝との間には横軸が回転できるように設けられ、前記横軸の右側のうち伸びている部分が前記底チャンバの中に伸びており、且つ前記横軸の右側末端には第一傘歯車が固定的に設けられ、前記横軸の左側のうち伸びている部分が前記円溝の中に伸びており、且つ前記横軸の左側端面には回転輪が固定的に設けられ、前記底チャンバの底壁には上に伸びて設けられた大型ねじロッドが回転できるように設けられ、前記大型ねじロッドの頂部の伸びている部分が前記矩形スライドブロックの中に入り、且つ前記大型ねじロッドと前記矩形スライドブロックとがねじ山によって連結され、前記大型ねじロッドの外周には前記第一傘歯車と噛合し設けられた第二傘歯車が固定的に設けられ、手動で前記回転輪を回転させ、前記回転輪に前記横軸を回転連動させ、これにより前記第一傘歯車を回転させ、前記第一傘歯車が前記第二傘歯車を回転連動させ、これにより前記大型ねじロッドを回転させ、前記大型ねじロッドが回転することにより、前記矩形スライドブロックが上に運動でき、これにより前記かさを上に運動させ、前記かさの底部と前記スタンドの頂部とを離脱させる。
【０００７】
前記調節機構は前記矩形スライドブロックの前後左右両側端面に固定的に設けられた支持板を含み、前記支持板は四組設けられ、前記支持板にはいずれも第三傘歯車が回転できるように設けられ、前記支持板にはいずれも半円歯車が回転できるように設けられ、前記半円歯車と前記第三傘歯車とが噛合し設けられ、前記半円歯車の片側には支持ブロックが固定的に設けられ、前記支持ブロックの中にはライトが設けられ、前記伝動チャンバの前後左右端壁の中にはいずれも小型回転軸が回転できるように設けられ、前記小型回転軸は四組設けられ、前記小型回転軸の一端には第四傘歯車が固定的に設けられ、前記第四傘歯車と前記第三傘歯車とが噛合し設けられ、前記小型回転軸のもう一端には第五傘歯車が固定的に設けられ、前記伝動チャンバの中には上に伸びて設けられた長ねじロッドが回転できるように設けられ、前記長ねじロッドの外周には前記伝動チャンバの中に位置している第六傘歯車が固定的に設けられ、前記第六傘歯車と四組の前記第五傘歯車とがいずれも噛合し設けられ、前記長ねじロッドの頂端が前記かさを貫通しており、前記かさの頂端には回転ブロックが回転できるように設けられ、前記回転ブロックの頂端にはねじりブロックが固定的に設けられ、前記回転ブロックの底端と前記長ねじロッドとが固定的に連結され、前記第二凹溝の頂壁には円柱ブロックが固定的に設けられ、前記第二凹溝の頂壁には第一反射鏡も固定的に設けられ、前記第一反射鏡が前記円柱ブロックの周囲に位置しており、前記円柱ブロックの中にはスライドチャンバが設けられ、前記スライドチャンバの中には立方体がスライドできるように設けられ、前記立方体と前記長ねじロッドとがねじ山によって連結され、前記立方体の底端には四組の連結ロッドがヒンジによって設けられ、前記第二凹溝の中には四組の第二反射鏡がヒンジによって設けられ、前記第二反射鏡が円盤の形に形成し、前記第二反射鏡の頂端と前記連結ロッドの底端とがヒンジによって連結される。
【０００８】
手動で前記ねじりブロックをねじり、前記回転ブロックを回転させ、これにより前記長ねじロッドを回転させ、これにより前記立方体が上に又は下にスライドでき、これにより前記第二反射鏡が一定の角度に回転でき、これにより前記ライトが前記第二反射鏡に照らす光を調節でき、前記第二反射鏡の反射角度を変更し、これにより照明範囲を変えることができ、同時に前記長ねじロッドの回転により前記第六傘歯車を回転させ、これにより前記第五傘歯車を回転させ、これにより前記小型回転軸に前記第四傘歯車を回転連動させ、これにより前記第三傘歯車を回転させ、これにより前記支持ブロックに一定の角度を調節させ、これにより光の照射範囲を変える。
【０００９】
前記スタンドの右側端面内には保存ケースがスライドできるように設けられ、前記保存ケースの中には保存チャンバが設けられ、前記保存チャンバが雑物を保存でき、前記保存ケースの右側端面には内側に凹んだ凹板が固定的に設けられ、前記凹板によって前記保存ケースを前記スタンドの外に引き出すことができ、これにより前記保存チャンバの中の雑物を出し入れすることができる。
【発明の効果】
【００１０】
本発明の電気スタンドは収納されることができて壊れることを防止し、同時に空間を節約し、設計が更に精巧になり、使われない時に収納されて飾り物になることができ、美観性を増え、更に本発明の電気スタンドは照明範囲も調節でき、使用者が自分の好みで照明範囲を調節できる。
【図面の簡単な説明】
【００１１】
説明しやすいため、本発明は以下の具体的な実施例と付図を交え詳しく説明する。
【００１２】
【図１】図１は本発明の青少年用電気スタンドの内部全体構成略図
【図２】図２は本発明の第二反射鏡の構成略図
【図３】図３は図１のＡの部分拡大構成略図
【図４】図４は図１のＢの部分拡大構成略図
【発明を実施するための形態】
【００１３】
以下、図１−４を合わせて本発明について詳しく説明し、また、説明の便利を図るため、下記に記載の上下左右前後方向が図１自身の投影関係の上下左右前後方向と一致することにする。
【００１４】
図１−４を参照し、本発明の青少年用電気スタンドは、スタンド１０を含み、前記スタンド１０が円柱形に設計され、更に前記スタンド１０の底部半径が頂部半径より短く、前記スタンド１０の中の頂端には第一凹溝２１が設けられ、前記第一凹溝２１の底部の前記スタンド１０の中には底チャンバ１６が設けられ、前記底チャンバ１６と前記第一凹溝２１との間には矩形スライドブロック２７がスライドできるように設けられ、前記矩形スライドブロック２７の外周には四組の支持ロッド２２が固定的に設けられ、前記スタンド１０の頂端にはかさ２３が設けられ、前記かさ２３の中には第二凹溝２５が設けられ、前記第二凹溝２５と前記第一凹溝２１とが相対するように設けられ、前記支持ロッド２２の一端と前記第二凹溝２５の内壁とが固定的に連結され、前記底チャンバ１６の中には前記かさ２３を上げる又は下げることができる昇降機構７２が設けられ、前記矩形スライドブロック２７の中には伝動チャンバ３７が設けられ、前記伝動チャンバ３７の中には電気スタンドの照明範囲を調節する調節機構７１が設けられている。
【００１５】
前記昇降機構７２は前記スタンド１０の左側端面の中に設けられた円溝１１を含み、前記底チャンバ１６と前記円溝１１との間には横軸１３が回転できるように設けられ、前記横軸１３の右側のうち伸びている部分が前記底チャンバ１６の中に伸びており、且つ前記横軸１３の右側末端には第一傘歯車１４が固定的に設けられ、前記横軸１３の左側のうち伸びている部分が前記円溝１１の中に伸びており、且つ前記横軸１３の左側端面には回転輪１２が固定的に設けられ、前記底チャンバ１６の底壁には上に伸びて設けられた大型ねじロッド２８が回転できるように設けられ、前記大型ねじロッド２８の頂部の伸びている部分が前記矩形スライドブロック２７の中に入り、且つ前記大型ねじロッド２８と前記矩形スライドブロック２７とがねじ山によって連結され、前記大型ねじロッド２８の外周には前記第一傘歯車１４と噛合し設けられた第二傘歯車１５が固定的に設けられ、手動で前記回転輪１２を回転させ、前記回転輪１２に前記横軸１３を回転連動させ、これにより前記第一傘歯車１４を回転させ、前記第一傘歯車１４が前記第二傘歯車１５を回転連動させ、これにより前記大型ねじロッド２８を回転させ、前記大型ねじロッド２８が回転することにより、前記矩形スライドブロック２７が上に運動でき、これにより前記かさ２３を上に運動させ、前記かさ２３の底部と前記スタンド１０の頂部とを離脱させる。
【００１６】
前記調節機構７１は前記矩形スライドブロック２７の前後左右両側端面に固定的に設けられた支持板３８を含み、前記支持板３８は四組設けられ、前記支持板３８にはいずれも第三傘歯車３９が回転できるように設けられ、前記支持板３８にはいずれも半円歯車４０が回転できるように設けられ、前記半円歯車４０と前記第三傘歯車３９とが噛合し設けられ、前記半円歯車４０の片側には支持ブロック４１が固定的に設けられ、前記支持ブロック４１の中にはライト４２が設けられ、前記伝動チャンバ３７の前後左右端壁の中にはいずれも小型回転軸４４が回転できるように設けられ、前記小型回転軸４４は四組設けられ、前記小型回転軸４４の一端には第四傘歯車４３が固定的に設けられ、前記第四傘歯車４３と前記第三傘歯車３９とが噛合し設けられ、前記小型回転軸４４のもう一端には第五傘歯車４５が固定的に設けられ、前記伝動チャンバ３７の中には上に伸びて設けられた長ねじロッド３５が回転できるように設けられ、前記長ねじロッド３５の外周には前記伝動チャンバ３７の中に位置している第六傘歯車３６が固定的に設けられ、前記第六傘歯車３６と四組の前記第五傘歯車４５とがいずれも噛合し設けられ、前記長ねじロッド３５の頂端が前記かさ２３を貫通しており、前記かさ２３の頂端には回転ブロック３１が回転できるように設けられ、前記回転ブロック３１の頂端にはねじりブロック３０が固定的に設けられ、前記回転ブロック３１の底端と前記長ねじロッド３５とが固定的に連結され、前記第二凹溝２５の頂壁には円柱ブロック３２が固定的に設けられ、前記第二凹溝２５の頂壁には第一反射鏡２４も固定的に設けられ、前記第一反射鏡２４が前記円柱ブロック３２の周囲に位置しており、前記円柱ブロック３２の中にはスライドチャンバ５１が設けられ、前記スライドチャンバ５１の中には立方体３３がスライドできるように設けられ、前記立方体３３と前記長ねじロッド３５とがねじ山によって連結され、前記立方体３３の底端には四組の連結ロッド３４がヒンジによって設けられ、前記第二凹溝２５の中には四組の第二反射鏡２９がヒンジによって設けられ、前記第二反射鏡２９が円盤の形に形成し、前記第二反射鏡２９の頂端と前記連結ロッド３４の底端とがヒンジによって連結されている。
【００１７】
手動で前記ねじりブロック３０をねじり、前記回転ブロック３１を回転させ、これにより前記長ねじロッド３５を回転させ、これにより前記立方体３３が上に又は下にスライドでき、これにより前記第二反射鏡２９が一定の角度に回転でき、これにより前記ライト４２が前記第二反射鏡２９に照らす光を調節でき、前記第二反射鏡２９の反射角度を変更し、これにより照明範囲を変えることができ、同時に前記長ねじロッド３５の回転により前記第六傘歯車３６を回転させ、これにより前記第五傘歯車４５を回転させ、これにより前記小型回転軸４４に前記第四傘歯車４３を回転連動させ、これにより前記第三傘歯車３９を回転させ、これにより前記支持ブロック４１に一定の角度を調節させ、これにより光の照射範囲を変える。
【００１８】
前記スタンド１０の右側端面内には保存ケース１８がスライドできるように設けられ、前記保存ケース１８の中には保存チャンバ１７が設けられ、前記保存チャンバ１７が雑物を保存でき、前記保存ケース１８の右側端面には内側に凹んだ凹板１９が固定的に設けられ、前記凹板１９によって前記保存ケース１８を前記スタンド１０の外に引き出すことができ、これにより前記保存チャンバ１７の中の雑物を出し入れすることができる。
【００１９】
使用する時、手動で回転輪１２を回転させ、回転輪１２に横軸１３を回転連動させ、これにより第一傘歯車１４を回転させ、第一傘歯車１４が第二傘歯車１５を回転連動させ、これにより大型ねじロッド２８を回転させ、大型ねじロッド２８が回転することにより、矩形スライドブロック２７が上に運動でき、これによりかさ２３を上に運動させ、かさ２３の底部とスタンド１０の頂部とを離脱させ、ライト４２を一定の高さに上昇させ、これにより照明でき、照明範囲を変えようとしたら、手動でねじりブロック３０をねじり、回転ブロック３１を回転させ、これにより長ねじロッド３５を回転させ、これにより立方体３３が上に又は下にスライドでき、これにより第二反射鏡２９が一定の角度に回転でき、これによりライト４２が第二反射鏡２９に照らす光を調節でき、第二反射鏡２９の反射角度を変え、これにより照明範囲を変え、同時に長ねじロッド３５の回転により第六傘歯車３６を回転させ、これにより第五傘歯車４５を回転させ、これにより小型回転軸４４に第四傘歯車４３を回転連動させ、これにより第三傘歯車３９を回転させ、これにより支持ブロック４１に一定の角度を調節させ、これにより光の照射範囲を変える。
【００２０】
本発明の有益効果は：本発明の電気スタンドは収納されることができて壊れることを防止し、同時に空間を節約し、設計が更に精巧になり、使われない時に収納されて飾り物になることができ、美観性を増え、更に本発明の電気スタンドは照明範囲も調節でき、使用者が自分の好みで照明範囲を調節できる。
【００２１】
本分野の技術者が明確できるのは、本発明の総体精神や発想から離脱しない場合で、以上の実施例に各種な変形ができ、それらの変形がすべて本発明の保護範囲にある。本発明の保護方案は本発明の権利要求書を標準とすべきである。